【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】  原信号に埋め込む埋め込み情報を入力すると、その埋め込み情報に対応するフィルタ係数を決定するフィルタ係数決定手段と、上記フィルタ係数決定手段により決定されたフィルタ係数にしたがって原信号の位相を調整し、位相調整後の原信号を被埋め込み信号として出力する可変フィルタとを備えた電子透かし埋め込み装置。
【請求項２】  フィルタ係数決定手段は、埋め込み情報に対応する位相操作量を決定し、その位相操作量を実現する可変フィルタのフィルタ係数を設計することを特徴とする請求項１記載の電子透かし埋め込み装置。
【請求項３】  フィルタ係数決定手段は、予め各種の埋め込み情報に対応するフィルタ係数を記憶し、その記憶しているフィルタ係数の中から、原信号に埋め込む埋め込み情報に対応するフィルタ係数を選択することを特徴とする請求項１記載の電子透かし埋め込み装置。
【請求項４】  相互に異なるフィルタ係数が設定され、そのフィルタ係数にしたがって原信号の位相を調整する複数のオールパスフィルタと、原信号に埋め込む埋め込み情報を入力すると、上記複数のオールパスフィルタの中から、その埋め込み情報に対応するオールパスフィルタを選択し、そのオールパスフィルから出力された位相調整後の原信号を被埋め込み信号として出力するフィルタ選択手段とを備えた電子透かし埋め込み装置。
【請求項５】  原信号に埋め込む埋め込み情報を入力すると、その埋め込み情報に対応するフィルタ係数を決定するフィルタ係数決定手段と、原信号の特定帯域の通過を遮断するバンドストップフィルタと、その原信号の特定帯域のみを通過させるバンドパスフィルタと、上記フィルタ係数決定手段により決定されたフィルタ係数にしたがって上記バンドパスフィルタから出力された原信号の位相を調整する可変フィルタと、上記可変フィルタによる位相調整後の原信号と上記バンドストップフィルタから出力された原信号を加算し、その加算結果を被埋め込み信号として出力する加算手段とを備えた電子透かし埋め込み装置。
【請求項６】  相互に遮断帯域が異なる複数のバンドストップフィルタを直列に接続するとともに、相互に通過帯域が異なる複数のバンドパスフィルタを並列に接続し、複数のフィルタ係数決定手段により決定されたフィルタ係数にしたがって複数の可変フィルタが複数のバンドパスフィルタから出力された原信号の位相を調整し、加算手段が複数の可変フィルタの出力信号と最終段のバンドストップフィルタの出力信号とを加算することを特徴とする請求項５記載の電子透かし埋め込み装置。
【請求項７】  原信号の成分変化を監視し、所定の成分変化を検出したときに限り、可変フィルタによる位相調整後の原信号を被埋め込み信号として出力する成分監視手段を設けたことを特徴とする請求項１記載の電子透かし埋め込み装置。
【請求項８】  埋め込み情報を複数のブロックに分割する情報分割手段を設け、フィルタ係数決定手段が原信号のフレーム単位で各ブロックに対応するフィルタ係数を決定することを特徴とする請求項１記載の電子透かし埋め込み装置。
【請求項９】  情報分割手段は、分割後の埋め込み情報にフレーム識別情報を付加することを特徴とする請求項８記載の電子透かし埋め込み装置。
【請求項１０】  原信号のフレームが可変フレームであることを特徴とする請求項８記載の電子透かし埋め込み装置。
【請求項１１】  原信号に埋め込む埋め込み情報を入力すると、その埋め込み情報に対応するフィルタ係数を決定するフィルタ係数決定手段と、上記フィルタ係数決定手段により決定されたフィルタ係数にしたがって特定信号の位相を調整する可変フィルタと、上記可変フィルタによる位相調整後の特定信号と原信号を加算し、その加算結果を被埋め込み信号として出力する加算手段とを備えた電子透かし埋め込み装置。
【請求項１２】  特定信号を生成する特定信号生成手段を設けたことを特徴とする請求項１１記載の電子透かし埋め込み装置。
【請求項１３】  電子透かし埋め込み装置から出力された被埋め込み信号と原信号の位相差を検出する位相差検出手段と、予め各種の埋め込み情報に対応する位相差の情報を記憶する位相差情報記憶手段と、上記位相差情報記憶手段に記憶されている位相差の情報のうち、上記位相差検出手段により検出された位相差に最も近い位相差の情報を検索し、その位相差の情報に対応する埋め込み情報を出力する埋め込み情報出力手段とを備えた電子透かし検出装置。
【請求項１４】  位相差検出手段は、原信号を周波数分析してスペクトラム係数を求めるとともに、被埋め込み信号を周波数分析してスペクトラム係数を求め、その被埋め込み信号に係るスペクトラム係数を原信号に係るスペクトラム係数で除算して位相差を求めることを特徴とする請求項１３記載の電子透かし検出装置。
【請求項１５】  位相差検出手段は、原信号又は被埋め込み信号の一方の信号を適応フィルタに入力し、その適応フィルタの出力信号が他方の信号と一致するように当該適応フィルタのフィルタ係数を更新し、更新完了後のフィルタ係数から原信号と被埋め込み信号の位相差を求めることを特徴とする請求項１３記載の電子透かし検出装置。
【請求項１６】  電子透かし埋め込み装置から出力された被埋め込み信号の特定帯域のみを通過させる第１のバンドパスフィルタと、原信号の特定帯域のみを通過させる第２のバンドパスフィルタと、上記第１のバンドパスフィルタから出力された被埋め込み信号と上記第２のバンドパスフィルタから出力された原信号の位相差を検出する位相差検出手段と、予め各種の埋め込み情報に対応する位相差の情報を記憶する位相差情報記憶手段と、上記位相差情報記憶手段に記憶されている位相差の情報のうち、上記位相差検出手段により検出された位相差に最も近い位相差の情報を検索し、その位相差の情報に対応する埋め込み情報を出力する埋め込み情報出力手段とを備えた電子透かし検出装置。
【請求項１７】  相互に通過帯域が異なる第１及び第２のバンドパスフィルタを複数搭載し、位相差検出手段、位相差情報記憶手段及び情報出力手段を複数搭載することを特徴とする請求項１６記載の電子透かし検出装置。
【請求項１８】  位相差検出手段は、原信号の成分変化を監視し、所定の成分変化を検出したときに限り、被埋め込み信号と原信号の位相差を検出することを特徴とする請求項１３記載の電子透かし検出装置。
【請求項１９】  位相差検出手段がフレーム単位で被埋め込み信号と原信号の位相差を検出し、情報出力手段が１フレーム分の埋め込み情報を相互に結合して出力することを特徴とする請求項１３記載の電子透かし検出装置。
【請求項２０】  情報出力手段は、１フレーム分の埋め込み情報のフレーム識別情報を参照して相互に結合することを特徴とする請求項１９記載の電子透かし検出装置。
【請求項２１】  原信号のフレームが可変フレームであることを特徴とする請求項１９記載の電子透かし検出装置。
【請求項２２】  電子透かし埋め込み装置から出力された被埋め込み信号と特定信号の位相差を検出する位相差検出手段と、予め各種の埋め込み情報に対応する位相差の情報を記憶する位相差情報記憶手段と、上記位相差情報記憶手段に記憶されている位相差の情報のうち、上記位相差検出手段により検出された位相差に最も近い位相差の情報を検索し、その位相差の情報に対応する埋め込み情報を出力する埋め込み情報出力手段とを備えた電子透かし検出装置。
【請求項２３】  特定信号を作成する特定信号作成手段を設けたことを特徴とする請求項２２記載の電子透かし検出装置。